(57)【要約】【課題】本発明は、衝撃吸収性能の低下を抑えつつ、ガイドローラの脱落が防げるスライドドアのストッパ装置を提供する。【解決手段】本発明のストッパ装置は、バンパ部材２２に、アーム部材１５と衝突したとき、衝突した後のアーム部材１５をガイドレール５側へ向かわせるように変形させる指向変形部３２を形成した。これにより、バンパ部材２２と衝突したアーム部材１５には、バンパ部材２２の変形により、ガイドローラ１０をガイドレール５内へ押し込む挙動が生じ、ガイドローラ５のガイドレール５からの外れを抑制する。【選択図】      図５
2008156891.tif 000002
【特許請求の範囲】
【請求項１】
車体側にスライドドア開閉案内用のガイドレールを設け、スライドドアに車室内側へ突き出るアーム部材を介してガイドローラを設け、前記ガイドローラを前記ガイドレールで案内させて、前記スライドドアを車両の全閉位置〜全開位置までを案内としたスライドドア機構のうち、
前記スライド装置のガイドレールの端部に、バンパブラケットを介して、前記アーム部材と当接可能な地点に、弾性変形可能なバンパ部材を支持させ、スライドドアを前記アーム部材と前記バンパ部材との衝突により規制するスライドドアのストッパ装置において、
前記バンパ部材に、前記アーム部材と衝突したとき、衝突した後のアーム部材を前記ガイドレール側へ向かわせるように変形させる指向変形部を形成した
ことを特徴とするスライドドアのストッパ装置。
【請求項２】
前記指向変形部は、前記バンパ部材を、前記アーム部材と衝突する部分を境として、前記ガイドレール側のバンパ部材部分を反対側のバンパ部材部分より弾性変形しやすくしてなることを特徴とする請求項１に記載のストッパ装置。
【請求項３】
前記指向変形部は、前記バンパ部材のうち、前記アーム部材と衝突する部分を中実部とし、該中実部を挟んだ前記ガイドレール側のバンパ部材部分を開放空間部を有した部分とし、該ガイドレール側のバンパ部材部分を反対側のバンパ部材部分より変形しやすくしてなることを特徴とする請求項２に記載のストッパ装置。
【請求項４】
前記反対側のバンパ部材部分は、前記ガイドレール側のバンパ部材部分の変形を助長する助長部を有していることを特徴とする請求項３に記載のストッパ装置。
【発明の詳細な説明】
【技術分野】
【０００１】
本発明は、スライドドアの位置を規制するスライドドアのストッパ装置に関する。
【背景技術】
【０００２】
自動車（車両）には、スライドドアにより、車体側部の乗降口が開閉される車種がある。
【０００３】
こうしたスライドドアの多くは、乗降口を挟んだ車体の上・下部分にアッパ・ロアガイドレールを設け、乗降口の中段となる後側の車体部分に乗降口の縁部から車体後方へ延びるセンタガイドレールを設ける。またスライドドアの前側の上・下部に、アーム部材を介して、アッパ・ロアガイドローラを設け、スライドドアの後側の中段部分にセンサガイドローラを設ける。そして、アッパ・ロアガイドローラをアッパ・ロアガイドレールで案内させ、センタガイドローラをセンタガイドレールで案内させるスライドドア機構が用いられている。つまり、各ガイドローラが、車体前後方向に延びる各ガイドレールによりガイドされることで、全閉位置から全開位置までスライドドアが案内される構造となっている。
【０００４】
こうしたスライドドア機構には、スライドドアの全開位置又は全閉位置を規制するためのストッパ装置が装備されている。
【０００５】
こうしたストッパ装置の多くは、アッパ側のガイドレールの開側の端部に、バンパブラケットを介して、弾性変形可能なバンパ部材を支持させた構造が用いられる。そして、スライドドアを全開させると、全開位置でアーム部材がバンパ部材と衝突して、スライドドアを、それ以上、動かないよう規制する。
【０００６】
ところで、バンパ部材は、ガイドレールからずれた地点でアーム部材と衝突する。このため、アーム部材は、バンパ部材と衝突すると、モーメントにしたがったバンパ部材の弾性変形により、ガイドレールの開口へガイドローラを変位させる。この変位は、アーム部材とバンパ部材との衝突具合により変わる。
【０００７】
このため、勢い良くスライドドアを全開させたような場合、衝撃力でバンパ部材が振れて、ガイドローラがガイドレールの開口から抜け出る（外れ）おそれがある。特にアッパガイドローラを支持するアーム部材とアッパガイドレール端に組付けたバンパ部材とが衝突する場合、アーム部材には、スライドドアの重量も作用するので、ガイドローラの抜ける方向への挙動は多く、アッパガイドローラがアッパガイドレールから抜け出るおそれが高い。
【０００８】
このガイドローラの脱落を抑える対策には、従来、特許文献１に示されるようにバンパ部材の内部に芯金などの補強部材を埋め込んで、バンパ部材の変形を抑える技術が用いられている。
【特許文献１】特開２００３−２７８２９号公報
【発明の開示】
【発明が解決しようとする課題】
【０００９】
ところが、こうした補強を施す技術は、補強部材の追加によって、バンパ部材の衝撃吸収を伴った衝止性能が損なわれやすい。
【００１０】
そこで、本発明の目的は、衝撃吸収性能の低下を抑えつつ、ガイドローラの脱落が防げるスライドドアのストッパ装置を提供することにある。
【課題を解決するための手段】
【００１１】
請求項１に記載の発明は、上記目的を達成するために、バンパ部材に、アーム部材と衝突したとき、衝突した後のアーム部材をガイドレール側へ向かわせるように変形させる指向変形部を形成した。
【００１２】
請求項２に記載の発明は、簡素な構造ですむよう、指向変形部には、バンパ部材を、アーム部材と衝突する部分を境として、ガイドレール側のバンパ部材部分を反対側のバンパ部材部分より弾性変形しやすくした構成を採用した。
【００１３】
請求項３に記載の発明は、特に簡素な構造ですむよう、指向変形部には、バンパ部材のうち、アーム部材と衝突する部分を中実部とし、該中実部を挟んだガイドレール側のバンパ部材部分を開放空間部を有した部分とし、該ガイドレール側のバンパ部材部分を反対側のバンパ部材部分より変形しやすくする構成を用いた。
【００１４】
請求項４に記載の発明は、アーム部材をガイドレール側へ向かわせる変形を助長させるよう、ガイドレール側とは反対側のバンパ部材部分には、ガイドレール側のバンパ部材部分の変形を助長する助長部を有した構成を採用した。
【発明の効果】
【００１５】
請求項１に記載の発明によれば、バンパ部材と衝突した後のアーム部材は、バンパ部材の変形を利用して、ガイドローラをガイドレール内へ押し込む方向へ向かわせるので、ガイドローラの外れを未然に防ぐことができる。
【００１６】
したがって、バンパ部材の衝撃吸収性能の低下を抑えつつ、ガイドローラの脱落を防ぐことができる。
【００１７】
請求項２に記載の発明によれば、指向変形部は、ガイドレール側のバンパ部材部分を反対側のバンパ部材部分より弾性変形しやすくするだけですむので、簡単である。
【００１８】
請求項３に記載の発明によれば、指向変形部は、中実部と開放部との組み合わせですむので、特に簡単ですむ。
【００１９】
請求項４に記載の発明によれば、効果的にバンパ部材の変形を利用して、ガイドローラの脱落を防ぐことができる。
【発明を実施するための最良の形態】
【００２０】
以下、本発明を図１〜図５に示す一実施形態にもとづいて説明する。
【００２１】
図１はスライドドア付の自動車（車両）の一部を示し、図２はスライドドア回りの構造を示していて、同図中１は自動車の車体を示す。この車体１の車幅方向一側のリヤ側には乗降口２が設けられている。そして、同車幅方向一側部に設けたスライドドア３にて、この乗降口２が開閉されるようにしてある。
【００２２】
このスライドドア３は、例えば３本のガイドレールを用いたスライドドア機構８にて、全閉位置から全開位置までスライド支持される。同スライドドア機構８を説明すると、乗降口２を挟んだ上部分のルーフサイドレール部分２ａ（車体１を構成する部分）には、アッパガイドレール５が設けられている。詳しくは、図２に示されるようにアッパガイドレール５は、ルーフサイドレール部分２ａに形成した段差、詳しく車体前後方向に延びるＬ形の段差４内に取り付けてある。また乗降口２を挟んだ下部分のサイドシル部分２ｂ（車体１を構成する部分）にはロアガイドレール７が設けられ、乗降口２の内側のリヤクォータパネル部分１ａの中段には乗降口２の縁部から後方へ延びるセンタガイドレール６が設けられている。なお、アッパガイドレール５とロアガイドレール７には、前側を車体内側へ退避させた、断面がＵ字形のレール部材が用いてあり、センタガイドレール６には、車体後方へ直線状に延びる断面がＵ字形のレール部材が用いてある。これらガイドレール５〜７と組合うガイドローラ構造には、図１に示されるようにスライドドア３の前側の上部および下部と、スライドドア３の後側の中段部分の３個所にガイドローラ１０〜１２を設けた構造が用いられている。このうち上側のガイドローラ１０と下側のガイドローラ１２には、例えば図２に示されるようにドア内面から突き出したアーム部材１５の先端部に、横向きのローラ部材１６（軸心が縦方向に向く姿勢）を回転自在に支持させた構造が用いられる（アッパ側しか図示せず）。上側のガイドローラ１０は、アッパガイドレール５内に転動可能に嵌挿され、下側のガイドローラ１２は、ロアガイドレール７内に転動可能に嵌挿され、中間のガイドローラ１１は、センタガイドレール６内に転動可能に嵌挿される。これにより、ガイドローラ１０〜１２は、ガイドレール５〜７で案内され、図１の実線で示すスライドドア３が閉まる全閉位置から、図１中の二点鎖線で示すスライドドア３が最大に開く全開位置まで案内されるようにしてある。なお、図２中１３は、アッパガイドレール５を上部から固定するため、ルーフサイドレール部２ａの前面からアッパガイドレール５の上部に向かって張り出したレール据付壁を示す
こうしたスライドドア機構８の例えばアッパガイドレール５には、図２および図３に示されるように全開ストッパ装置１８（本願のストッパ装置に相当）が設けられている。
【００２３】
全開ストッパ装置１８には、図２に示されるようにアッパガイドレール５の開側の端部に、バンパブラケット２０を介して、バンパ部材２２を支持させた構造が用いられている。このうちバンパブラケット２０には、図３に示されるような例えば板金を加工して形成されたブラケットが用いられる。同板金製のバンパブラケット２０には、アッパガイドレール端の車幅方向両側部に組付く略Ｕ字形のホルダ部２４と、同ホルダ部２４のレール端と向き合う端壁部２４ａを下方へ延長して形成されるバンパ据付部２５とを形成した構造が用いられている。つまり、バンパ据付部２５は、アッパガイドレール端から直下へ突き出る。このバンパ据付部２５の下側の板面中央には、係合受部としてバンパ部材支持用の通孔２６が形成されている。なお、２７は、バンパブラケット２０をレール据付座１３でも支持させるために形成された、端壁部２４ａの上端を上方へ延長させてなる支持座である。
【００２４】
バンパ部材２２は、例えば図３に示されるような弾性変形可能なゴム材で成形された直方体形状のブロックで形成されている。このバンパ部材２２は、一方の端部が他方の端部より幅が狭い先細形状に形成されている。また他方の端面は平坦な面に形成されていて、先細状の端部が有る先端部をバンパ受け部２８とし、平坦面の有る基端部をバンパ取付面２９としている。またバンパ取付面２９の上段側には、係合部として係合ピン部３０が突設されている。係合ピン部３０は、例えば通孔２６の径寸法に応じた軸部３１ａ、フランジ部で形成される弾性係合壁３１ｂ、該弾性係合壁３１ｂの外形から次第に細くなるテーパ部３１ｃを連ねて形成される。これにより、図３に示されるように係合ピン部３０の先端部（テーパ部３１ｃ）が、レール端側から通孔２６へ差し込まれると、通孔２６と軸部３１ａとが係合して、バンパ部材２２がバンパ据付部２５に固定（支持）される。この固定により、バンパ部材２２は、図２に示されるように、先端がアッパガイドレール端へ向く姿勢で、アッパガイドレール５端の直下に組み付けてある。これにより、バンパ部材２２のバンパ受け部２８は、アーム部材１５が通過する位置決められ、スライドドア３を全開させると、全開位置で、スライドドア３のアーム部材１５とレール端のバンパ部材２２とが衝突して、スライドドア３を、それ以上、動かないよう規制する。
【００２５】
またバンパ部材２２には、図３および図４に示されるように衝突した後のアーム部材１５をアッパガイドレール５側へ向かわせる指向変形部３２が形成されている。指向変形部３２には、アーム部材１５と衝突するバンパ部材２２の中間部分２２ｘを境として、上側のバンパ部材部分、すなわちガイドレール５側のバンパ部材部分２２ａを、他の部分である下側のバンパ部材部分２２ｂ（反対側のバンパ部材部分）より変形しやすくする構造が用いられている。これには、例えばバンパ部材２２に複数の穴部を形成する構造が用いられている。
【００２６】
具体的には、図３および図４に示されるように上面２２ｃ（ガイドレール５，ガイドローラ１０側の面）から中間部分２２ｘ付近までの深さをもつ例えば２つの穴部３３ａ，３３ｂを、上側のバンパ部材部分２２ａに、アーム部材１５の衝突方向に沿って並行に設けた構造が用いられる。これら穴部３３ａ，３３ｂがなす開放空間部３４により、上側のバンパ部材部分２２ａを下側のバンパ部材部分２２ｂより柔らかくしている。つまり、バンパ部材２２は、衝撃力が加わる中間部２２ｘに続く中段部分に形成される中実部２２ｙを境として、上側の開放空間部３４のあるバンパ部材部分２２が、反対側のバンパ部材部分２２ｂより変形しやすくなる。これにより、アーム部材１５がバンパ部材２２に衝突すると、図５に示されるように上側のバンパ部材部分２２ａが中実部２２ｙを支点に斜めに変形するようにしている。この斜め変形から、衝突した後のアーム部材１５に、後上がり挙動、つまりガイドローラ１０をアッパガイドレール５へ向かわせる挙動（持ち上げる挙動）がもたらせられる。すなわち、ガイドローラ１０をアッパガイドレール５内へ押し込ませる挙動が生まれるようにしている。
【００２７】
また下側のバンパ部材部分２２ｂには、この上側のバンパ部材部分２２の変形を助けるための助長部、例えば１つの穴部３３ｃが形成されている。穴部３３ｃは、下面２２ｄ（ガイドレール５、ガイドローラ１０側とは反対側の面）から中間部分２２ｘ付近までの深さをもつ穴空間を、穴部３３ａ，３３ｂ間に形成してなる。そして、アーム部材１５と衝突するバンパ部材２２の中段部分だけに中実部２２ｙを残している。この穴部３３ｃにより、下側のバンパ部材２２ｂは、図５に示されるようにアーム部材１５が衝突すると、上側の縮む方向の変形とは反対、すなわち中実部２２ｙを支点として前方へ延びる方向に変形するようにしてある。このバンパ部材２２ｂの変形により、上記バンパ部材２２ａの斜め変形を助長させて、アーム部材１５を持ち上がる動きが安定して確保されるようにしている。
【００２８】
むろん、中段部分が中実に形成されているので、アーム部材１５の衝突方向に働く衝撃力は十分に吸収することができる。
【００２９】
つぎに、このように構成された全開ストッパ装置１８の作用について説明する。
【００３０】
今、図２に示されるように自動車のスライドドア３を全開させるとする。すると、スライドドア３は、アッパガイドレール５、センタガイドレール６、ロアガイドレール７にガイドされて、車体後方へスライドする。続いて、全開位置で、スライドドア３のアッパ側のアーム部材１５はバンパ部材２２の中間部２２ｘと衝突し、衝撃を吸収する。
【００３１】
ここで、バンパ部材２２は、穴部３３ａ，３３ｂの形成によって、上側のバンパ部材部分２２ａが、下側のバンパ部材部分２２ｂより柔らかくなっている。そのため、上側のバンパ部材部分２２ａは、アーム部材１５からの衝撃力が加わる中間部２２ｘを支点として、穴部３３ａ，３３ｂを潰しながら、縮む方向に変形する。と同時に下側のバンパ部材部分２２ｂは、中間部２２ｘを支点として、穴部３３ｃを拡げながら、前方へ延びる方向へ変形し、上側のバンパ部材部分２２ａの変形を助長する。こうした各部の変形により、バンパ部材２２の先端部では、図５に示されるように上部が退避し、下部が突き出るという斜め変形が生じる。
【００３２】
衝突した後のアーム部材１５は、この斜め変形を受けて、図５中の矢印に示されるように後側（衝突方向）が持ち上がるという挙動が生じる。ここで、アーム部材１５は、ガイドローラ１０を支持しているから、このアーム部材１５の後上がりの挙動により、ガイドローラ１０は、スライドドア機構８の各部のクリアランスを通じて、アッパガイドレール５内へ押し込まれる。
【００３３】
これにより、アッパガイドレール５から外れるおそれのあるガイドローラ１０は、バンパ部材２２がもたらすアッパガイドレール５内へ押し込むという挙動により、アッパガイドレール５から抜けにくくなる。しかも、バンパ部材２２での衝撃吸収性は損なわれずにすむ。このことから、バンパ部材２２の変形を十分に活用しながら、ガイドローラ５の外れが未然に防げる。
【００３４】
それ故、衝撃吸収性能の低下を抑えつつ、ガイドローラ１０の脱落を防ぐことができる。
【００３５】
しかも、同効果は、バンパ部材２２のうち、アッパガイドレール５側のバンパ部材部分２２ａを弾性変形しやすくするだけですむので、簡単である。特に弾性変形しやすくする構造は、中実部２２ｙと開放空間３４とを組み合わせた構造が採用したので、簡単であり、また、中実部２２ｙにより衝突方向に働く衝撃は十分に吸収することができる。そのうえ、反対側のバンパ部材部分２２ｂには、弾性変形を助長する機能を加えているので、バンパ部材２２の変形を最大限に活用したガイドローラ１０の脱落防止機能が十分に発揮できる。
【００３６】
なお、本発明は上述した一実施形態に限定されるものではなく、本発明の主旨を逸脱しない範囲内で種々可変して実施しても構わない。例えば、上述した一実施形態では、スライドドアの全開位置を規制する全開ストッパを用いて説明したが、スライドドアの全閉位置を規制する全閉ストッパに本発明を適用してもよく、全閉ストッパでも同様の効果が得られる。
【図面の簡単な説明】
【００３７】
【図１】本発明の一実施形態に係る全開ストッパ装置を組付けた車両の斜視図。
【図２】同車両の全開ストッパが付いたスライドドア機構の部位を示す斜視図。
【図３】同全開ストッパの各部の構造を示す斜視図。
【図４】アーム部材がバンパ部材と衝突するときを説明する図２中のＡ−Ａ線に沿う側断面図。
【図５】衝突した後のアーム部材を挙動を説明するための側断面図。
【符号の説明】
【００３８】
１…車体、２…乗降口、３…スライドドア、５…アッパガイドレール（ガイドレール）、８…スライドドア機構、１０…ガイドローラ、１５…アーム部材、１８…全開ストッパ装置、２０…バンパブラケット、２２…バンパ部材、２２ａ…上側のバンパ部材部分（ガイドレール側のバンパ部材部分）、２２ｂ…下側のバンパ部材部分（反対側のバンパ部材部分）、３２…指向変形部、２２ｙ…中実部、３３ｃ…穴部（助長部）、３４ｃ…開放空間部。
【図１】
2008156891.tif 000003
【図２】
2008156891.tif 000004
【図３】
2008156891.tif 000005
【図４】
2008156891.tif 000006
【図５】
2008156891.tif 000007